(57)【要約】【課題】    本来の床用吸込具の吸気流路での吸込力と同等以上の吸引力を発揮する、側面の塵埃を吸い込むための機構または流路を備えたアップライト型電気掃除機、また側面まで延長させた回転ブラシに人体が接触する危険性が解消された、安全なアップライト型電気掃除機を提供すること。【解決手段】  床用吸込具５の右側面に補助流路２８を備える。補助流路２８は下流側端部にて主流路２５に連通される。補助流路２８は、主流路２５および吸込流路３より流路断面積が小さく、上流側から下流側へ向けて流路断面積が減少するため、補助流路２８内の上流側から下流側へ向かう流速が増加する。これにより、床用吸込具５の右側面の塵埃を確実に吸い込むことができる。また、側面吸込口３１、ブラシカバー３４またはスイッチ４０を備えることにより、回転する右補助ブラシ１８が人体から隔離され、人体が右補助ブラシ１８に接触する危険性を解消できる。【選択図】  図４
2007000446.tif 000002
【特許請求の範囲】
【請求項１】
電動送風機が内蔵された本体と、
前記本体の上部に設けられた操作ハンドルと、
前記本体の下部前方に備えられた床用吸込具と、
前記床用吸込具の側方部に一端が連通し、その他端側は電気送風機へと連通している吸込流路と、
前記吸込流路が連通した床用吸込具の側方部の側面沿いに設けられた補助吸込手段と、
を含むことを特徴とするアップライト型電気掃除機。
【請求項２】
前記補助吸込手段は、吸込口と、前記吸込口に一端が臨み、他端は前記吸込流路の途中へとつながった補助吸込流路とを含むことを特徴とする、請求項１記載のアップライト型電気掃除機。
【請求項３】
前記補助吸込流路は、前記吸込流路と比べて流路断面積が小さいことを特徴とする、請求項２記載のアップライト型電気掃除機。
【請求項４】
前記補助吸込手段は、前記床用吸込具の側面に開口した吸込口を含むことを特徴とする、請求項１記載のアップライト型電気掃除機。
【請求項５】
電動送風機が内蔵された本体と、
前記本体の上部に設けられた操作ハンドルと、
前記本体の下部前方に備えられた床用吸込具と、
前記床用吸込具に内蔵され、前記床用吸込具の幅方向に長手の回転軸および前記回転軸周面に植立された多数のブラシ束を有する回転ブラシとを含むアップライト型電気掃除機において、
前記床用吸込具の一方側面には、吸込口が開口していることを特徴とする、アップライト型電気掃除機。
【請求項６】
前記側面に開口した吸込口近傍のブラシ束は、他の部分に比べて柔らかいブラシ束であることを特徴とする、請求項５記載のアップライト型電気掃除機。
【請求項７】
前記床用吸込具の一方側面に開口した吸込口を覆う、側方へ突出する進退可能なカバーが設けられていることを特徴とする、請求項５記載のアップライト型電気掃除機。
【請求項８】
前記カバーは、前記回転ブラシの端面と面一の状態まで引っ込み得ることを特徴とする、請求項７記載のアップライト型電気掃除機。
【請求項９】
前記回転ブラシには、その一端部に補助ブラシと、その一端面に、押圧力が与えられることにより前記補助ブラシを回転させ、前記押圧が解除されると前記補助ブラシの回転を停止させるためのスイッチとが設けられていることを特徴とする、請求項５記載のアップライト型電気掃除機。
【発明の詳細な説明】
【技術分野】
【０００１】
本発明はアップライト型電気掃除機に関する。
【背景技術】
【０００２】
従来から用いられているアップライト型電気掃除機は、床用吸込具が床面の塵埃を回転ブラシで叩いて掻き取り、吸引する。壁沿いを掃除する場合においては、壁と回転ブラシとの間に、床用吸込具の筐体を成す側壁部が隙間として存在するため、その隙間における塵埃を取り残す問題があった（たとえば、特許文献１参照。）。
【特許文献１】特開平７−９５９３７号公報
【発明の開示】
【発明が解決しようとする課題】
【０００３】
しかし、側面の塵埃を吸い込むために何らかの機構または流路を設けた場合、そこでの吸込力が本来の床用吸込具の吸気流路での吸込力より弱くなる懸念がある。また、側面の塵埃を掻き取るために、床用吸込具に備えられた回転ブラシを側面まで延長して露出させると、回転する回転ブラシに人体が接触する危険性が生じる。
本発明の目的は、本来の床用吸込具の吸気流路での吸込力と同等以上の吸引力を発揮する、側面の塵埃を吸い込むための機構または流路を備えたアップライト型電気掃除機を提供することである。
【０００４】
また、本発明の他の目的は、側面まで延長させた回転ブラシに人体が接触する危険性が解消された、安全なアップライト型電気掃除機を提供することである。
【課題を解決するための手段】
【０００５】
上記目的を達成するため、請求項１に記載の発明によるアップライト型電気掃除機には、電動送風機が内蔵された本体と、前記本体の上部に設けられた操作ハンドルと、前記本体の下部前方に備えられた床用吸込具と、前記床用吸込具の側方部に一端が連通し、その他端側は電気送風機へと連通している吸込流路と、前記吸込流路が連通した床用吸込具の側方部の側面沿いに設けられた補助吸込手段と、を含むことを特徴としている。
【０００６】
この構成によると、補助吸込手段により、床用吸込具の側面の塵埃を吸い込むことができる。
請求項２に記載の発明は、請求項１に記載の発明において、前記補助吸込手段は、吸込口と、前記吸込口に一端が臨み、他端は前記吸込流路の途中へとつながった補助吸込流路とを含むことを特徴としている。
【０００７】
この構成によると、吸込流路と同等の吸込力を有する補助吸込流路を備えた補助吸込手段により、床用吸込具の側面の塵埃を確実に吸い込むことができる。
請求項３に記載の発明は、請求項２に記載の発明において、前記補助吸込流路は、前記吸込流路と比べて流路断面積が小さいことを特徴としている。
この構成によると、補助吸込流路における流速が吸込流路に比べて高くなるため、流速に比例する吸込力も増加し、床用吸込具の側面の塵埃をさらに確実に吸い込むことができる。
【０００８】
請求項４に記載の発明は、請求項１に記載の発明において、前記補助吸込手段は、前記床用吸込具の側面に開口した吸込口を含むことを特徴としている。
この機構によると、側面に開口した吸込口により、床用吸込具の側面の塵埃を吸い込むことができる。
請求項５に記載の発明は、電動送風機が内蔵された本体と、前記本体の上部に設けられた操作ハンドルと、前記本体の下部前方に備えられた床用吸込具と、前記床用吸込具に内蔵され、前記床用吸込具の幅方向に長手の回転軸および前記回転軸周面に植立された多数のブラシ束を有する回転ブラシとを含むアップライト型電気掃除機において、前記床用吸込具の一方側面には、吸込口が開口していることを特徴としている。
【０００９】
この構成によると、側面に開口した吸込口により、床用吸込具の側面の塵埃を吸い込むことができる。
請求項６に記載の発明は、請求項５に記載の発明において、前記側面に開口した吸込口近傍のブラシ束は、他の部分に比べて柔らかいブラシ束であることを特徴としている。
この構成によると、側面に開口した吸込口に臨んだ柔らかいブラシ束は、回転する回転ブラシに人体が接触した場合における危険性を解消できる。
【００１０】
請求項７に記載の発明は、請求項５に記載の発明において、前記床用吸込具の一方側面に開口した吸込口を覆う、側方へ突出する進退可能なカバーが設けられていることを特徴としている。
この構成によると、床用吸込具の側面の塵埃を吸い込むときには、吸込口および回転ブラシをカバーから臨ませて塵埃を吸い込むことができ、塵埃の吸い込みを終えると、吸込口および回転ブラシをカバーで覆うことができる。そのため、回転する回転ブラシに人体が接触する危険性を解消できる。
【００１１】
請求項８に記載の発明は、請求項７に記載の発明において、前記カバーは、前記回転ブラシの端面と面一の状態まで引っ込み得ることを特徴としている。
この構成によると、床用吸込具の側面の塵埃を吸い込むときに、吸込口および回転ブラシをカバー端面まで規制して臨ませることができるため、回転する回転ブラシに人体が接触する危険性を確実に解消できる。
【００１２】
請求項９に記載の発明は、請求項５に記載の発明において、前記回転ブラシには、その一端部に補助ブラシと、その一端面に、押圧力が与えられることにより前記補助ブラシを回転させ、前記押圧が解除されると前記補助ブラシの回転を停止させるためのスイッチとが設けられていることを特徴としている。
この構成によると、壁沿いの塵埃を吸い込むときには、スイッチを壁にぶつけて押圧を入力することにより、補助ブラシを回転させて塵埃を吸い込むことができる。また、塵埃の吸い込みを終えると、壁からスイッチを離してスイッチへの押圧を解除することにより、補助ブラシの回転を停止できる。そのため、回転する補助ブラシに人体が接触する危険性を解消できる。
【発明を実施するための最良の形態】
【００１３】
図１は、この発明の一実施形態に係るアップライト型の電気掃除機１の正面図であり、図２は、電気掃除機１の右側面図である。以下では、電気掃除機１およびその構成要素（構成部品）の説明に関し、便宜上、図１における左側を左側、右側を右側、手前を正面（前）側、奥を背面（後）側、上側を上面（上）側、下側を底面（下）側として説明する。
電気掃除機１には、掃除機本体２、吸込流路３、操作ハンドル４および床用吸込具５が含まれている。
【００１４】
掃除機本体２は円筒形状であり、電気送風機（図示せず）が内蔵されていて、この電動送風機により吸引力が発生する。
吸込流路３は、床用吸込具５により掻き取られた塵埃を掃除機本体２へ伝達する役割を担う、局所的に湾曲された円筒体である。吸込流路３は、空気の流れ方向にみて、上流側端部が床用吸込具５の右側上面に固定されており、下流側端部が掃除機本体２の右側面に固定されている。また、吸込流路３には、金属製の第１パイプ部６および樹脂製の第２パイプ部７と、可撓性を有するホース部８が備えられている。
【００１５】
第１パイプ部６は吸込流路３の上流側に配置され、上流側端部が床用吸込具５の右側上部に固定されており、上流側端部から掃除機本体２の左右方向中心かつ背面に向かって湾曲する。そして、掃除機本体２の左右方向中心かつ背面の位置から上方へ向かって垂直に延設されている。
ホース部８は吸込流路３の中流に配置され、上流側端部が第１パイプ部６の下流側端部に着脱自在に接続され、垂直下方に向かって延設されている。
【００１６】
第２パイプ部７は吸込流路３の下流側に配置され、上流側端部がホース部８の下流側端部に固定されており、上下方向に略Ｕ字形状を成して、下流側端部が掃除機本体２の右側面に固定されている。
操作ハンドル４は、吸込流路３の第１パイプ部６の上端部の表面に一体的に備えられた側面視がＯ字形状を成した樹脂製のリングであり、操作ハンドル４を把持して電気掃除機１を操作する。
【００１７】
床用吸込具５は、上面視が略Ｕ字形状であり、Ｕ字の隙間に掃除機本体２が配置されている。また、床用吸込具５の底面の先端部は床に対して開口している。
通常の掃除において、床面に散在した塵埃は、床用吸込具５内部に掻き取られ、掃除機本体２に内蔵された電気送風機によって発生した吸引力により、吸込流路３を介して掃除機本体２へ吸引される。なお、床面以外の、例えばテーブルの上や窓枠などの高い位置を掃除する場合には、吸込流路３のホース部８の上流側端部を第１パイプ部６から離脱することにより、ホース部８を把持して塵埃を吸引することができる。
【００１８】
この実施形態に係る電気掃除機１の特徴は、床用吸込具５の改良された構造にあり、４つの実施例を以下にて詳述する。
（１）第１の実施例
図３は、図２に示す電気掃除機１において、第１の実施例を説明するために床用吸込具５を拡大した図であり、図４は、図３における床用吸込具５の底面図において内部構造を示すために底カバーを外した状態の図である。
【００１９】
図４に示すように、床用吸込具５は、回転ブラシ１０、プーリー１５、ベルト１６、駆動軸１７、右補助ブラシ１８、左補助ブラシ２１、駆動モーター２４、主流路２５、補助流路２８およびブラシ収容部３３を備えている。また、回転ブラシ１０、右補助ブラシ１８および左補助ブラシ２１のそれぞれの一部は、床用吸込具５の底面から床に向けて露出している。
【００２０】
ブラシ収容部３３は、床用吸込具５の前部を形成する、左右方向に延設された半円筒の空間であり、その内部の左右方向の途中において、右軸受け１３と左軸受け１４とを互いに対向するように備えている。
回転ブラシ１０は床用吸込具５の左右方向に延設された円筒体であり、回転軸１１およびブラシ部１２が備えられている。回転軸１１の外周面にはブラシ部１２が回転軸１１の半径方向に突出するように備えられている。回転ブラシ１０は、回転軸１１の両端部の外周面とブラシ収容部３３の右軸受け１３および左軸受け１４の内周面とが摺接関係になるように右軸受け１３および左軸受け１４によって回転自在に支持されている。また、回転ブラシ１０は、ブラシ部１２の先端が側面視での床用吸込具５から床方向に露出するように、ブラシ収容部３３内に収容されている。
【００２１】
右補助ブラシ１８は、回転ブラシ１０の右端部に接続された円筒体であり、右補助ブラシ回転軸１９および右補助ブラシ部２０を備えており、ブラシ収容部３３内に収容されている。右補助ブラシ回転軸１９の外周面には右補助ブラシ部２０が右補助ブラシ回転軸１９の半径方向に突出するように備えられている。また、右補助ブラシ回転軸１９は回転ブラシ１０の回転軸１１の右端部に固定されており、右補助ブラシ１８は回転ブラシ１０と連動する。
【００２２】
左補助ブラシ２１は、回転ブラシ１０の左端部に接続された円筒体であり、左補助ブラシ回転軸２２および左補助ブラシ部２３を備えており、ブラシ収容部３３内に収容されている。左補助ブラシ回転軸２２の外周面には左補助ブラシ部２３が左補助ブラシ回転軸２２の半径方向に突出するように備えられている。また、左補助ブラシ回転軸２２は回転ブラシ１０の回転軸１１の左端部に固定されており、左補助ブラシ２１は回転ブラシ１０と連動する。
【００２３】
駆動モーター２４は、駆動軸１７を備えており、床用吸込具５の後側において、駆動軸１７が左右方向において回転軸１１と平行になるように配置され、図示しない供給電力により回転して駆動力を発生し、駆動軸１７を軸回りに回転させる。
プーリー１５は、駆動モーター２４の駆動軸１７と左右方向での位置が一致するように、回転ブラシ１０の回転軸１１に外嵌される。
【００２４】
ベルト１６は、駆動モーター２４の駆動軸１７とプーリー１５とを外嵌し、駆動モーター２４の駆動力をプーリー１５に伝達し、回転ブラシ１０、右補助ブラシ１８、左補助ブラシ２１を軸回りに回転させる。
主流路２５は、床用吸込具５の右側に配置された筒形状であり、主吸込口２６および主接続口２７を備えている。
【００２５】
主吸込口２６は主流路２５の上流側端部であり、ブラシ収容部３３に接続されており、ブラシ収容部３３内部と主流路２５内部とが連通する。また、主接続口２７は主流路２５の下流側端部であり、吸込流路３の上流側端部に接続され、吸込流路３内部と主流路２５内部とが連通する
補助流路２８は、床用吸込具５の右側面に備えられており、上流側に補助吸込部４７を備え、下流側にバイパス部４８を備えている。補助吸込部４７は上流側端部に補助吸込口２９を備え、バイパス部４８は下流側端部に補助接続口３０を備えている。補助吸込口２９は床面に対して開口しており、補助接続口３０は主流路２５の中流に接続される。補助吸込部４７の下流側端部とバイパス部４８の上流側端部とは接続されて、補助吸込部４７内部とバイパス部４８内部とが連通しているため、補助流路２８内部と主流路２５内部とが連通する。これにより、床用吸込具５の側面の塵埃を吸い込むことができる。
【００２６】
また、補助流路２８は、主流路２５および吸込流路３よりも流路断面積が小さいので、補助流路２８内の、上流側から下流側へ向かう流速は、主流路２５および吸込流路３内の流速よりも高い。さらに、図３に示すように、補助流路２８内部において、上流側に比べて下流側の流路断面積が小さい。つまり、バイパス部４８は補助吸込部４７よりも流路断面積が小さいので、補助流路２８内で上流側から下流側へ向かって流速が増加する。これにより、前述の塵埃を確実に吸い込むことができる。
【００２７】
以上より、第１の実施例では、床用吸込具５の右側面に取り付けられ、主流路２５に連通された補助流路２８により、床用吸込具５の側面の塵埃を吸い込むことができる。また、補助流路２８は、主流路２５および吸込流路３より流路断面積が小さいので、補助流路２８内部の流速は主流路２５および吸込流路３内部より高く、補助流路２８は主流路２５での吸込力と同等以上の吸引力を発揮することができる。また、補助流路２８の下流側のバイパス部４８は上流側の補助吸込部４７よりも流路断面積が小さいので、補助流路２８内で上流側から下流側へ向かって流速が増加する。これにより、前述の塵埃を確実に吸い込むことができる。
（２）第２の実施例
図５は、第２の実施例を説明するための床用吸込具５の右側面図であり、図６は、図５における床用吸込具５の底面図において内部構造を示すために底カバーを外した状態の図である。なお、第１の実施例での部品と対応する部品には、同一の符号を付して説明を省略する。
【００２８】
第２の実施例の特徴は、側面吸込口３１を備えていることである。図６に示すように、側面吸込口３１は、ブラシ収容部３３の右側壁に設けられ、ブラシ収容部３３の右内壁の内側面と外側面を貫通している。これにより、床用吸込具５の側面の塵埃を吸い込むことができる。
また、側面吸込口３１に右補助ブラシ１８が臨んでおり、右補助ブラシ１８の右端面は側面吸込口３１と面一になっている。そのため、前述の塵埃を確実に吸い込むことが可能となる。さらに、右補助ブラシ１８の右補助ブラシ部２０が、回転ブラシ１０のブラシ部１２および左補助ブラシ２１の左補助ブラシ部２３より柔らかい。そのため、たとえ側面吸込口３１からユーザーが指などを入れても、回転している右補助ブラシ１８で怪我をする危険性が解消される。
【００２９】
以上より、第２の実施例では、ブラシ収容部３３の右側壁に設けられた側面吸込口３１により、床用吸込具５の側面の塵埃を吸い込むことができる。さらに、側面吸込口３１に右補助ブラシ１８が臨んでいることにより、前述の塵埃を確実に吸い込むことが可能となる。また、右補助ブラシ１８は柔らかい右補助ブラシ部２０を備えており、回転時の右補助ブラシ１８に人体に接触した場合における危険性を解消できる。
（３）第３の実施例
図７は、第３の実施例を説明するための図５のＡ−Ａ矢視図である。また、図８は、第３の実施例を説明するための図５における床用吸込具５の要部断面図であり、図９は図８のＣ−Ｄ矢視図である。なお、第１および第２の実施例での部品と対応する部品には、同一の符号を付して説明を省略する。
【００３０】
第３の実施例の特徴は、ブラシカバー３４を備えていることである。図７Ａは、右補助ブラシ１８、ブラシカバー３４、回転ブラシ１０およびブラシ収容部３３の右端部を示した要部断面図である。ブラシカバー３４は、図７Ａに示すように、ブラシ収容部３３の右側壁に備えられ、カバー部３５、ガイド軸３７および係止壁３８を備えている。カバー部３５は右補助ブラシ１８より大径の円筒体であり、右端面には、カバー開口部３６が形成されている。ガイド軸３７はカバー部３５左端縁の外周面上に複数備えられ、ガイド軸３７の左側端部はブラシ収容部３３の右側壁を左右方向に貫通する。係止壁３８はブラシ収容部３３の右側壁の内側において、ブラシ収容部３３の右側壁を貫通したガイド軸３７の左側端部を係止する。これにより、ブラシカバー３４はブラシ収容部３３に対して左右方向に進退可能となり、ブラシカバー３４がブラシ収容部３３に対して左右方向に最も離れた場合（図７Ａ参照）では、回転中の右補助ブラシ１８は外部に露出されない。また、ブラシカバー３４がブラシ収容部３３に対して左右方向に最も近づいた場合（図７Ｂ参照）では、右補助ブラシ１８がカバー開口部３６に臨む。これにより、床用吸込具５の側面の塵埃を吸い込むときには、右補助ブラシ１８をブラシカバー３４から臨ませて塵埃を吸い込むことができ、塵埃の吸い込みを終えると、右補助ブラシ１８をブラシカバー３４で覆うことができる。そのため、回転する右補助ブラシ１８に人体が接触する危険性を解消できる。
【００３１】
また、ブラシカバー３４がブラシ収容部３３に対して左右方向に最も近づいた場合（図７Ｂ参照）に、右補助ブラシ１８の右端面がブラシカバー３４のカバー部３５の右端面と面一であるので、回転する右補助ブラシ１８をブラシカバー３４の右端面まで規制して臨ませることができる。そのため、回転する右補助ブラシ１８に人体が接触する危険性を確実に解消できる。
【００３２】
また、図８に示すように、ブラシ収容部３３の右側壁の上部に右側壁孔３９が設けられており、ブラシカバー３４がブラシ収容部３３に対して左右方向に最も離れた場合（図９参照）では、係止壁３８が右側壁孔３９を塞ぐ。逆に、ブラシカバー３４がブラシ収容部３３に対して左右方向に最も近づいた場合では、係止壁３８が右側壁孔３９に対して左方向に隔間する。これにより、主流路２５の主吸込口２６に近い右側壁孔３９から前述の塵埃が効率よく吸い込まれ、右側壁孔３９が係止壁３８に塞がれると、塵埃の主吸込口２６から上流方向への逆流が妨げられるため、塵埃を確実に吸い込むことができる。
【００３３】
以上より、第３の実施例では、ブラシ収容部３３の右側壁に備えられたブラシカバー３４により、床用吸込具５の側面の塵埃を吸い込むときのみ、右補助ブラシ１８をブラシカバー３４から臨ませることができる。そのため、回転する右補助ブラシ１８に人体が接触する危険性を解消できる。また、ブラシカバー３４から臨んだ右補助ブラシ１８の右端面がブラシカバー３４のカバー部３５の右端面と面一であるので、回転する右補助ブラシ１８に人体が接触する危険性を確実に解消できる。また、ブラシ収容部３３の右側壁の上部に設けられた右側壁孔３９により、前述の塵埃を効率よく、かつ確実に吸い込むことができる。
（４）第４の実施例
図１０は、第４の実施例を説明するための床用吸込具５の要部断面図であり、図１１は図１０のＢ−Ｂ矢視図である。なお、第１、第２および第３の実施例での部品と対応する部品には、同一の符号を付して説明を省略する。
【００３４】
第４の実施例の特徴は、スイッチ４０を備えていることである。スイッチ４０は、図１１Ａに示すように、回転ブラシ１０の回転軸１１の右端部および右補助ブラシ１８の右補助ブラシ回転軸１９において、主側摩擦板４１、補助側摩擦板４２、ボタン４３およびスプリング４４を備えている。主側摩擦板４１は、片面が摩擦面の円板であり、摩擦面が右側面になるように回転ブラシ１０の回転軸１１の右側面に接続される。補助側摩擦板４２も主側摩擦板４１と同様の形状であり、摩擦面が左側面になるように右補助ブラシ１８の右補助ブラシ回転軸１９の左側面に接続される。ボタン４３は、円筒体と半球とを組み合わせた形状となっており、右補助ブラシ回転軸１９の右端部に同一軸にて接続され、ブラシ収容部３３の側面吸込口３１を介して外部に露出している。右補助ブラシ１８の右補助ブラシ部２０の内側には、ボタン４３を左右方向に全て埋没され得る大きさの凹部４５が形成されている。スプリング４４は、凹部４５において右補助ブラシ回転軸１９に外嵌され、ボタン４３に接することにより、右補助ブラシ回転軸１９、補助側摩擦板４２およびボタン４３を右方へ付勢している。よって、床面のみを掃除している場合（図１１Ａ参照）では、主側摩擦板４１と補助側摩擦板４２とが隔間されており、回転中の回転ブラシ１０の回転軸１１に右補助ブラシ１８の右補助ブラシ回転軸１９が接触しないため右補助ブラシ１８は回転しない。壁沿いの塵埃を吸い込む場合（図１１Ｂ参照）では、ボタン４３を壁にぶつけて凹部４５に埋没させることにより、スイッチ４０の主側摩擦板４１と補助側摩擦板４２とがそれぞれの摩擦面にて接触する。それにより、回転中の回転ブラシ１０の回転軸１１の駆動力が右補助ブラシ１８の右補助ブラシ回転軸１９に伝達されるため右補助ブラシ１８は回転し、床用吸込具５の側面の塵埃を吸い込むことができる。また、塵埃の吸い込みを終えて壁からボタン４３を離すと、スプリング４４の復元力により主側摩擦板４１と補助側摩擦板４２とが隔間され、右補助ブラシ１８の回転を停止できる。そのため、回転する右補助ブラシ１８に人体が接触する危険性を解消できる。
【００３５】
以上より、図４の実施例では、ブラシ収容部３３の右側に備えられたスイッチ４０により、床用吸込具５の側面の塵埃を吸い込むときのみ、右補助ブラシ１８が回転するため、回転する右補助ブラシ１８に人体が接触する危険性を解消できる。
この発明は、以上の実施形態の内容に限定されるものではなく、請求項記載の範囲内において種々の変更が可能である。
【図面の簡単な説明】
【００３６】
【図１】この発明の一実施形態に係るアップライト型の電気掃除機１の正面図である。
【図２】電気掃除機１の右側面図である。
【図３】図２に示す電気掃除機１において、第１の実施例を説明するために床用吸込具５を拡大した図である。
【図４】図３における床用吸込具５の底面図において内部構造を示すために底カバーを外した状態の図である。
【図５】第２の実施例を説明するための床用吸込具５の右側面図である。
【図６】図５における床用吸込具５の底面図において内部構造を示すために底カバーを外した状態の図である。
【図７】図７Ａは、ブラシカバー３４がブラシ収容部３３に対して最も離れた場合での、右補助ブラシ１８、ブラシカバー３４、回転ブラシ１０およびブラシ収容部３３の右端部を示した、第３の実施例を説明するための図５のＡ−Ａ矢視図である。図７Ｂは、図７Ａにおいて、ブラシカバー３４がブラシ収容部３３に対して最も近づいた場合を示した図である。
【図８】第３の実施例を説明するための床用吸込具５の要部断面図である。
【図９】図８のＣ−Ｄ矢視図である。
【図１０】第４の実施例を説明するための床用吸込具５の要部断面図である。
【図１１】図１１Ａは、床面のみを掃除している場合の図１０のＡ−Ａ矢視図であり、図１１Ｂは、図１１Ａにおいて、壁沿いの塵埃を吸い込むためにスイッチ４０のボタン４３を壁にぶつけた場合を示した図である。
【符号の説明】
【００３７】
１      電気掃除機
２      掃除機本体
３      吸込流路
４      操作ハンドル
５      床用吸込具
１０    回転ブラシ
１１    回転軸
１２    ブラシ部
１８    右補助ブラシ
２０    右補助ブラシ部
２３    左補助ブラシ部
２５    主流路
２８    補助流路
２９    補助吸込口
３０    補助接続口
３１    側面吸込口
３４    ブラシカバー
３６    カバー開口部
４０    スイッチ
【図１】
2007000446.tif 000003
【図２】
2007000446.tif 000004
【図３】
2007000446.tif 000005
【図４】
2007000446.tif 000006
【図５】
2007000446.tif 000007
【図６】
2007000446.tif 000008
【図７】
2007000446.tif 000009
【図８】
2007000446.tif 000010
【図９】
2007000446.tif 000011
【図１０】
2007000446.tif 000012
【図１１】
2007000446.tif 000013